(57)【要約】【課題】媒体の判別に用いる媒体種類と媒体判別情報との対を保持する媒判別情報データベースを、自動的に、媒体の流通頻度に応じた最適なものにできるようにして、良好な帳票判別率を実現できるようにする。【解決手段】判断部１３によって媒体２にかかる媒体判別情報が媒体判別情報データベース１２に保持されていないと判断された場合に、イメージデータから媒体２の媒体判別情報となりうる候補情報を抽出して登録候補データベース１５ａ〜１５ｃに媒体２と対応付けて登録する仮登録部１４と、この仮登録部１４による登録候補データベース１５ａ〜１５ｃへの候補情報の登録頻度に基づいて、候補情報を媒体２の種類と対応付けて媒体判別情報として媒体判別情報データベース１２に登録する登録部１６ａ〜１６ｃとをそなえて構成する。【選択図】図１
2007193678.tif 000002
【特許請求の範囲】
【請求項１】
情報を記入された媒体を読み取って得られたイメージデータに基づいて当該媒体を判別するための媒体判別情報を、当該媒体の種類と対応付けて保持する媒体判別情報データベースを作成する媒体判別情報データベース作成装置であって、
前記媒体のイメージデータから得られる当該媒体にかかる媒体判別情報が、前記媒体判別情報データベースに保持されているか否かを判断する判断部と、
該判断部によって当該媒体にかかる媒体判別情報が前記媒体判別情報データベースに保持されていないと判断された場合に、前記イメージデータから当該媒体の媒体判別情報となりうる候補情報を抽出して登録候補データベースに当該媒体と対応付けて登録する仮登録部と、
該仮登録部による前記登録候補データベースへの前記候補情報の登録頻度に基づいて、前記候補情報を当該媒体の種類と対応付けて媒体判別情報として前記媒体判別情報データベースに登録する登録部とをそなえて構成されていることを特徴とする、媒体判別情報データベース作成装置。
【請求項２】
前記仮登録部が、前記媒体から複数種類の候補情報を抽出して前記登録候補データベースに登録するとともに、
前記登録部が、前記登録候補データベースに登録されている複数の媒体を、前記複数種類の候補情報に基づいて複数のグループに分割し、分割された各グループにおける媒体の登録頻度に基づいて前記媒体判別情報データベースに登録する媒体の種類を決定することを特徴とする、請求項１記載の媒体判別情報データベース作成装置。
【請求項３】
前記仮登録部が、前記媒体から複数種類の候補情報を抽出して前記登録候補データベースに登録するとともに、
前記登録部が、前記複数種類の候補情報のそれぞれについての登録頻度を媒体ごとに合計した値に基づいて、記媒体判別情報データベースに登録する媒体の種類を決定することを特徴とする、請求項１記載の媒体判別情報データベース作成装置。
【請求項４】
前記媒体判別情報データベースに前記媒体判別情報を保持された媒体の種類ごとの流通頻度を保持する流通頻度データベースと、
前記判断部によって前記媒体にかかる媒体判別情報が前記媒体判別情報データベースに保持されていると判断された場合に、前記流通頻度データベースにおける当該媒体の種類の流通頻度を更新する更新部と、
前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴とする、請求項１〜３のいずれか１項に記載の媒体判別情報データベース作成装置。
【請求項５】
情報を記入された媒体を読み取って得られたイメージデータに基づいて当該媒体を判別するための媒体判別情報を当該媒体の種類と対応付けて保持する媒体判別情報データベースを管理する媒体判別情報データベース管理装置であって、
前記媒体判別情報データベースに前記媒体判別情報を保持された媒体の種類ごとの流通頻度を保持する流通頻度データベースと、
前記媒体のイメージデータから得られる当該媒体にかかる媒体判別情報が前記媒体判別情報データベースに保持されているか否かを判断する判断部と、
該判断部によって前記媒体にかかる媒体判別情報が前記媒体判別情報データベースに保持されていると判断された場合に、前記流通頻度データベースにおける当該媒体の種類の流通頻度を更新する更新部と、
前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴とする、媒体判別情報データベース管理装置。
【発明の詳細な説明】
【技術分野】
【０００１】
本発明は、金融機関等で取り扱う帳票やビジネス文書等の媒体の自動判別や自動文字認識を行なう帳票判別装置において、かかる自動判別を行なう際に用いる、帳票の種類を定義したデータベース（媒体判別情報データベース）を作成・管理するための技術に関する。
【背景技術】
【０００２】
近年、文字，記号，数字，絵，罫線，バーコード等の情報を記入された媒体（例えば、帳票）をイメージデータとして読み取って、かかる媒体の判別や文字認識を行なう装置として、光学式文字読み取り装置（ＯＣＲ（Optical Character Recognition/Reader）装置）等の帳票判別装置が開発され、各種産業においてはこの帳票判別装置を広く利用することにより、業務の効率化等を図っている。
【０００３】
例えば、金融機関等における窓口業務を行なうオペレータは、上述の帳票判別装置を用いて、帳票媒体（以下、単に帳票という）を効率的に処理することを通じて、業務の効率化を図っている。
上述のような帳票処理装置において、帳票処理をより高効率に実行するために、同一種類の帳票の多量処理を行なうだけでなく、多種多様なフォーマットを有する帳票を自動的に処理する技術がある（例えば、下記特許文献１〜４参照）。
【０００４】
このような帳票判別装置では、帳票（帳票種類）を判別するための帳票判別情報を帳票の種類に対応付けてデータベースに予め登録しておき、帳票のイメージデータから得られた帳票判別情報を、かかるデータベースに登録された帳票判別情報と照合することによって、帳票を判別する。
つまり、判別対象の帳票を読み取って得られたイメージデータから得られた帳票判別情報がデータベースに登録保持されている場合には、判別対象の帳票が、そのデータベースに登録されている帳票判別情報が示す種類の帳票であると判別する。
【０００５】
なお、イメージデータから得られた帳票判別情報がデータベースに登録保持されていない場合には、このデータベースに基づいて帳票を判別することはできない。
そして、従来の帳票判別装置では、取り扱う判別対象の帳票の種類（以下、単に帳票ともいう）が少ない場合には、すべての帳票の帳票判別情報をデータベースに登録できるが、取り扱う認証対象の帳票が多くそのすべてをデータベースに登録できない場合には、専任者（作業者；例えば、オペレータ）がデータベースに登録する帳票を選別している。
【特許文献１】国際公開ＷＯ９７／０５５６１号
【特許文献２】特開２００１−３２５５６３号公報
【特許文献３】国際公開ＷＯ０１／２６０２４号
【特許文献４】特開２００３−１６８０７５号公報
【発明の開示】
【発明が解決しようとする課題】
【０００６】
ところで、上述した従来の帳票判別装置では、専任者は、重要とみなされる帳票を目視で判断しなければならず、そのため、専任者は取り扱う帳票に関する専門的な知識を要求される。
例えば、専任者は、ある帳票は毎年改定される、また、別の帳票は不定期に改定される、さらに、別の帳票は特定時期にのみ取り扱う等の非常に専門的な知識を要求される。
【０００７】
したがって、専任者が手動で登録処理を行なう場合には、専任者の能力や経験に頼るところが大きく、また専任者にとって大きな負担になってしまう。
また、取り扱う帳票が数十種類であれば人手による登録処理も可能であるが、例えば、金融機関等では、数百種類以上の帳票を常に取り扱っており、これらが更新されることもあるので、年間では数千種類以上もの種類の帳票を扱うことになる。
【０００８】
このような膨大な種類の帳票の登録処理を人手によって行なうことは、作業工数の観点からも現実的に困難である。
さらに、金融機関等では、銀行改定などに伴う改訂帳票や新規帳票、あるいは、エンドユーザが持ち込む新しいフォーマットの私製伝票を、帳票判別情報がデータベースに登録することは非常に重要であるが、全帳票を登録することは、工数的にも困難であるとともに冗長な場合を除けなくなる。
【０００９】
また、数千種類以上のすべての帳票の種類をデータベースに登録してしまうと、帳票の種類が増え過ぎることに伴って類似帳票が増えた結果、誤った判別が行なわれる可能性が高くなる。これにより、判別率が低下してしまうという不具合が生じ、すべての帳票の種類をデータベースに登録するというのは、判別率劣化の観点からも運用上好ましくない。
しかしながら、上述した従来の帳票判別装置では、データベースに一旦登録したものを削除する機構はなく、データベースにはすべての帳票の種類、もしくは、専任者によって選別された帳票の種類を登録するだけである。
【００１０】
ここで、データベースからの削除作業を専任者が実行することが考えられるが、帳票種類によっては、月ごと、年ごとの特定時期にのみ取り扱う必要があるものもあり、データベースからの帳票種類の削除は、単にその流通（取扱）頻度だけでなく、帳票種類の流通（取扱）特徴に応じた判断が必要になるので、専任者により高度な専門的知識が要求されることになり、数百、数千種類もの帳票を取り扱う場合には、専任者等の人手によって削除作業を実行することは現実的に困難である。
【００１１】
本発明は、このような課題に鑑み創案されたもので、媒体の判別に用いる媒体種類と媒体判別情報との対を保持するデータベース（媒判別情報データベース）を、自動的に、媒体の流通頻度に応じた最適なものにできるようにして、良好な帳票判別率を実現できるようにすることを目的とする。
【課題を解決するための手段】
【００１２】
上記目的を達成するために、本発明の媒体判別情報データベース作成装置は、情報を記入された媒体を読み取って得られたイメージデータに基づいて当該媒体を判別するための媒体判別情報を、当該媒体の種類と対応付けて保持する媒体判別情報データベースを作成するものであって、前記媒体のイメージデータから得られる当該媒体にかかる媒体判別情報が、前記媒体判別情報データベースに保持されているか否かを判断する判断部と、この判断部によって当該媒体にかかる媒体判別情報が前記媒体判別情報データベースに保持されていないと判断された場合に、前記イメージデータから当該媒体の媒体判別情報となりうる候補情報を抽出して登録候補データベースに当該媒体と対応付けて登録する仮登録部と、この仮登録部による前記登録候補データベースへの前記候補情報の登録頻度に基づいて、前記候補情報を当該媒体の種類と対応付けて媒体判別情報として前記媒体判別情報データベースに登録する登録部とをそなえて構成されていることを特徴としている（請求項１）。
【００１３】
なお、前記仮登録部が、前記媒体から複数種類の候補情報を抽出して前記登録候補データベースに登録するとともに、前記登録部が、前記登録候補データベースに登録されている複数の媒体を、前記複数種類の候補情報に基づいて複数のグループに分割し、分割された各グループにおける媒体の登録頻度に基づいて前記媒体判別情報データベースに登録する媒体の種類を決定することが好ましい（請求項２）。
【００１４】
また、前記仮登録部が、前記媒体から複数種類の候補情報を抽出して前記登録候補データベースに登録するとともに、前記登録部が、前記複数種類の候補情報のそれぞれについての登録頻度を媒体ごとに合計した値に基づいて、記媒体判別情報データベースに登録する媒体の種類を決定することが好ましい（請求項３）。
さらに、前記媒体判別情報データベースに前記媒体判別情報を保持された媒体の種類ごとの流通頻度を保持する流通頻度データベースと、前記判断部によって前記媒体にかかる媒体判別情報が前記媒体判別情報データベースに保持されていると判断された場合に、前記流通頻度データベースにおける当該媒体の種類の流通頻度を更新する更新部と、前記流通頻度データベースにおける前記媒体の種類ごとの流通頻度に基づいて、前記媒体判別情報データベースから前記媒体の種類と前記媒体判別情報との対を削除する削除部とをそなえて構成されていることが好ましい（請求項４）。
【００１５】
また、上記目的を達成するために、本発明の媒体判別情報データベース管理装置は、情報を記入された媒体を読み取って得られたイメージデータに基づいて当該媒体を判別するための媒体判別情報を当該媒体の種類と対応付けて保持する媒体判別情報データベースを管理するものであって、前記媒体判別情報データベースに前記媒体判別情報を保持された媒体の種類ごとの流通頻度を保持する流通頻度データベースと、前記媒体のイメージデータから得られる当該媒体にかかる媒体判別情報が前記媒体判別情報データベースに保持されているか否かを判断する判断部と、この判断部によって前記媒体にかかる媒体判別情報が前記媒体判別情報データベースに保持されていると判断された場合に、前記流通頻度データベースにおける当該媒体の種類の流通頻度を更新する更新部と、前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴としている（請求項５）。
【発明の効果】
【００１６】
このように、本発明によれば、登録部が、仮登録部によって登録された登録候補データベースの候補情報の登録頻度に基づいて、候補情報を媒体の種類と対応付けて媒体判別情報として媒体判別情報データベースに登録するので、媒体の登録に専門的な知識を必要とする専任者が不要になり、さらに、媒体判別情報データベースを常に媒体の流通頻度に応じた良好なものに更新することができる。その結果、媒体の判別率も向上し、安定した良好な媒体判別率を実現することができる。
【００１７】
また、削除部が、流通頻度データベースに保持された媒体の種類ごとの流通頻度に基づいて、媒体判別情報データベースから媒体の種類と媒体判別情報との対を削除するので、媒体判別情報データベースから、流通頻度の少ない不要な媒体の種類にかかる対を削除することができる。したがって、媒体判別情報データベースが保持する媒体の種類の数が膨大になって媒体の判別率が低下してしまうようなことを抑止でき、安定した良好な媒体判別率を実現することができる。
【００１８】
さらに、登録部及び削除部によれば、媒体判別情報データベース内のデータを常に良好な状態、すなわち、使用頻度の高いものを登録し、頻度の低いものは削除することにより、判別時の媒体判別情報データベースの検索効率の向上を図ることができる。
【発明を実施するための最良の形態】
【００１９】
以下、図面を参照しながら本発明の実施の形態について説明する。
〔１〕本発明の一実施形態について
まず、図１に示すブロック図を参照しながら、本発明の一実施形態としての帳票判別装置（媒体判別装置）の構成について説明する。この図１に示すように、本帳票判別装置１ａは、スキャナ装置（イメージデータ取得部）１０，帳票読込部１１，登録データベース（帳票判別情報データベース；図中“登録ＤＢ”と表記）１２，帳票判別部１３，仮登録部１４，登録候補データベース（図中“登録候補ＤＢ”と表記）１５ａ，登録部１６ａ，文字認識部１７，流通頻度データベース（図中“流通頻度ＤＢ”と表記）１８，更新部１９，及び削除部２０をそなえて構成されている。
【００２０】
なお、本帳票判別装置１ａにおいて、帳票読込部１１，登録データベース１２，帳票判別部１３，仮登録部１４，登録候補データベース１５ａ，登録部１６ａ，流通頻度データベース１８，更新部１９，及び削除部２０は、本発明の媒体判別情報データベース作成（管理）装置９として機能する。
さらに、本帳票判別装置１ａは、例えば、図２に示すごとく表示部４，入力インタフェースとしてのキーボード５及びマウス６，並びに記憶装置７をそなえて構成されたコンピュータ３の演算部（例えば、ＣＰＵ：Central Processing Unit）８によって実現される。
【００２１】
つまり、本帳票判別装置１ａのスキャナ装置１０が演算部８に接続され、本帳票判別装置１ａの帳票読込部１１，帳票判別部１３，仮登録部１４，登録部１６ａ，文字認識部１７，更新部１９，及び削除部２０は、演算部８が、所定のアプリケーションプログラム（例えば、後述する媒体判別情報データベース作成（管理）プログラム）を実行することによって実現される。
【００２２】
スキャナ装置１０は、情報が記入された媒体としての帳票２を光学的に読み取ってイメージデータを取得するものである。
帳票読込部１１は、スキャナ装置１０が帳票２を読み取って得られたイメージデータを読み込むものである。
登録データベース１２は、帳票の種類を判別するための帳票の種類ごとの特徴である帳票判別情報（媒体判別情報）を保持するものであり、帳票の種類と、当該帳票の種類にかかる帳票判別情報とを対応付けて保持している。
【００２３】
具体的には、登録データベース１２は、例えば、図３に示すように、帳票名（帳票種類）ごとに、帳票判別情報として、かかる帳票に記入された帳票種別コード（帳票ＩＤ）や罫線に関する情報を保持している。つまり、帳票名“Ａ”については、帳票ＩＤ“０１０１”や罫線に関する情報“（ＸＡ１，ＹＡ１）−（ＸＡ２，ＹＡ２）”が保持されるとともに、帳票名“Ｂ”については、ＩＤ番号“−（なし）”や罫線に関する情報“（ＸＢ１，ＹＢ１）−（ＸＢ２，ＹＢ２）”が保持されている。
【００２４】
なお、本帳票判別装置１ａにおいて、この登録データベース１２に保持される帳票判別情報の種類は限定されるものではなく、帳票判別部１３が帳票の種類を確実に判別できるものであればよい。したがって、登録データベース１２が保持する帳票判別情報としては、上述した帳票ＩＤや罫線に関する情報以外に、例えば、帳票に記入された帳票ＩＤ以外の文字情報として、“帳票種別コード”，“依頼人コード”，“受取人コード”，“固定文言”，“印鑑の有無”，及び“印鑑の位置”等が考えられる。また、文字情報以外の情報として、“帳票サイズ”，“色相系”，“取扱時期”等が帳票判別情報となる。
【００２５】
帳票判別部１３は、帳票読込部１１によって読み込まれた帳票２のイメージデータと、登録データベース１２に保持された帳票判別情報とに基づいて、帳票２を判別するものである。つまり、帳票判別部１３は、イメージデータとして取得された帳票２の種類を、登録データベース１２に保持された帳票判別情報に基づいて判別するものであり、帳票２のイメージデータから得られる帳票２にかかる帳票判別情報を、登録データベース１２から検索して、検索された帳票判別情報に対応する帳票の種類を、帳票２の種類と判別する。
【００２６】
このように、帳票判別部１３は、帳票２のイメージデータから得られる帳票２にかかる帳票判別情報が、登録データベース１２に保持されているか否かを判断する判断部として機能する。
仮登録部１４は、帳票判別部１３によって帳票２にかかる帳票判別情報が登録データベース１２に保持されていないと判断された場合、つまり、帳票判別部１３が帳票２を判別できなかった場合に、帳票２のイメージデータから帳票２の帳票判別情報となりうる候補情報を抽出して登録候補データベース１５ａに帳票２と対応付けて登録するものである。
【００２７】
図４に登録候補データベース１５ａの構成例を示す。仮登録部１４は、帳票判別部１３によって判別されなかった帳票２のイメージデータから、帳票２に記入された情報のうち、帳票判別情報となりうる図４に示すような候補情報を抽出する。つまり、仮登録部１４は、帳票２の受取日時（つまり、処理日時）とともに、“帳票サイズ”，“色相系”，“帳票種別コード”，“依頼人コード”，“受取人コード”，“取扱時期”，“固定文言”，“印鑑の有無”，及び“印鑑の位置”を、帳票２のイメージデータから抽出して、登録候補データベース１５ａに登録する。なお、これらの候補情報は、後述する図５に示すキーワードデータベース１６ａ−１のすべてのキーワードに対応している。
【００２８】
登録部１６ａは、仮登録部１４による登録候補データベース１５ａへの候補情報の登録頻度に基づいて、候補情報を帳票の種類と対応付けて帳票判別情報として登録データベース１２に登録するものである。
つまり、登録部１６ａは、登録候補データベース１５ａに登録されている複数の帳票を、複数種類の候補情報に基づいて複数のグループに分割し、分割された各グループにおける帳票の登録頻度（つまり、数）に基づいて、登録データベース１２に登録する帳票の種類を決定し、登録データベース１２に登録する。
【００２９】
具体的には、登録部１６ａは、例えば、図５に示すようなキーワードデータベース１６ａ−１に保持されたキーワードとしての候補情報を用いて、登録候補データベース１５ａに登録された帳票を分割し、分割された各グループの帳票数（つまり、同種類の帳票の登録頻度）がより多いものを登録データベース１２に登録する。
また、登録部１６ａは、分割された各グループの帳票数が所定数以上の帳票種類を登録データベース１２に登録するか、もしくは、かかる帳票数が多い順に上位から所定種類の帳票（つまり、かかる帳票数が最も多い帳票の種類から順に所定数の帳票の種類）を登録データベース１２に登録する。
【００３０】
ここで、図５に示すキーワードデータベース１６ａ−１について説明すると、キーワードデータベース１６ａ−１は、帳票判別情報として登録しうる複数の候補情報のうち分割処理に用いるキーワードを、複数のケース（ここでは、ケース１〜４）ごとに示すものである。なお、図５における各ケースにおいて、“○”は分割処理に用いるキーワードを示し、“×”は分割処理に用いないものを示しており、ケース１は、すべての候補情報（“帳票サイズ”，“色相系”，“帳票種別コード”，“依頼人コード”，“受取人コード”，“取扱時期”，“固定文言”，“印鑑の有無”，及び“印鑑の位置”）をキーワードとして用いる場合を示し、ケース２は、“帳票サイズ”，“色相系”，“帳票種別コード”，“依頼人コード”，“受取人コード”をキーワードとして用いる場合を示し、ケース３は、“帳票サイズ”，“帳票種別コード”，及び“受取人コード”をキーワードとして用いる場合を示し、ケース４は、“依頼人コード”をキーワードとして用いる場合を示している。
【００３１】
また、登録部１６ａが、登録候補データベース１５ａに登録された複数の帳票をいずれのケース１〜４を用いて分割するかは、登録対象の帳票の種別に応じて決定してもよいし、登録データベース１２に登録する帳票の種類の数に応じて決定してもよいし、オペレータがキーボード５及びマウス６を用いて任意に選択してもよい。例えば、登録対象の帳票の種別に応じて決定する場合には、単票の帳票を取り扱っている場合にはケース３を選択し、連記の帳票を取り扱っている場合にはケース４を選択することが考えられる。
【００３２】
ここで、登録部１６ａが、キーワードデータベース１６ａ−１のケース２のキーワードを用いて、登録候補データベース１５ａに登録された帳票を分割する場合について説明する。この場合、登録部１６ａは、図６に示すように、上記図４に示す登録候補データベース１５ａのうちの、“帳票サイズ”，“色相系”，“帳票種別コード”，“依頼人コード”，及び“受取人コード”に着目して分割処理を実行する。
【００３３】
このときの登録部１６ａの動作手順を図７のフローチャート（ステップＳ１〜Ｓ９）に示す。この図７に示すように、登録部１６ａは、まず、図６に示す登録候補データベース１５ａに登録された複数の帳票を、帳票サイズごとに分割（分類）し（ステップＳ１）、色相系ごとに分割し（ステップＳ２）、帳票種別ごとに分割し（ステップＳ３）、依頼人コードごとに分割し（ステップＳ４）、最後に受取人コードごとに分割する（ステップＳ５）。
【００３４】
次いで、登録部１６ａは、分割されたグループごとの帳票数を算出し（ステップＳ６）、算出された帳票数に応じて、各グループを降順ソートして並び替える（ステップＳ７）。
そして、登録部１６ａは、ここでは、上位から所定数のグループを登録する帳票の種類として選択し（ステップＳ８）、選択した各グループを当該グループの候補情報とともに登録データベースに登録する（ステップＳ９）。
【００３５】
すなわち、登録部１６ａは、上記ステップＳ８で選択（決定）したグループについて、このグループが示す帳票の種類の候補情報を、当該帳票の種類と対応付けて帳票判別情報として登録データベースに登録する（ステップＳ９）。
また、図１に示すように、文字認識部１７は、帳票判別部１３によって帳票２にかかる帳票判別情報が登録データベース１２に保持されていると判断された場合、つまり、帳票判別部１３が帳票２を判別できた場合に、判別された帳票２の種類に基づいて、帳票２に記入された文字情報等を認識するものである。
【００３６】
なお、文字認識部１７は、例えば、帳票の種類ごとに、その帳票のどこにどのような情報が記入されているかを示すデータベース（図示略）をそなえ、このデータベースに基づいて、帳票２の文字認識を行なう。
流通頻度データベース１８は、登録データベース１２に帳票判別情報を登録された帳票の種類ごとの、本帳票判別装置１ａでの流通頻度（取扱頻度；処理枚数）を保持するものであり、例えば、図８に示すように、帳票の種類ごとに、その種類の帳票を処理した最終日，最終日からその後の一週目までの流通頻度（図中“一週目”と表記），最終日からその後の二週目までの流通頻度（図中“二週目”と表記），及び最終日からその後の一ヶ月目までの流通頻度（図中“一ヶ月目”と表記）から構成される。
【００３７】
更新部１９は、帳票判別部１３によって帳票２にかかる帳票判別情報が登録データベース１２に保持されていると判断された場合、つまり、帳票判別部１３が帳票２を判別できた場合に、流通頻度データベース１８における帳票２の種類の流通頻度を更新する。
具体的には、図８に示す流通頻度データベースの“最終日”を“今日”に更新するとともに、“一週目”，“二週目”，“一ヶ月目”の値をそれぞれ“１”カウントアップする。
【００３８】
なお、この更新部１９による流通データベース１８の更新処理は、文字認識部１７による文字認識処理と並行して実行される。
削除部２０は、流通頻度データベース１８における帳票の種類ごとの流通頻度に基づいて、登録データベース１２から帳票の種類と帳票判別情報との対を削除するものであり、削除部２０は流通頻度データベース１８において、流通頻度が少ない帳票の種類にかかる対を削除する。
【００３９】
ここで、本帳票判別装置１ａが取り扱う処理対象の帳票の流通特性について説明すると、本帳票判別装置１ａでは、様々な種類の帳票を処理対象としており、例えば、本帳票判別装置１ａは金融機関等での帳票処理業務に利用される場合がある。その場合には、処理対象の帳票は、例えば、図９に示すように１ヶ月のうちの“５日”，“１０日”，“１５日”，“２０日”，“２５日”のいわゆる五十日前後に特に流通頻度が多くなるという流通特性を有する帳票種類や、あるいは、図１０に示すように、毎日略一定の流通頻度があるという流通特性を有する帳票種類や、もしくは、図１１に示すように月の所定日の前後に特に流通頻度が多くなるという流通特性を有する帳票種類や、さらには、図１２に示すように年間の所定月前後だけ流通があるという流通特性を有する帳票種類などを取り扱う。
【００４０】
したがって、削除部２０は、流通頻度だけでなく、帳票の種類ごとの図９〜図１２に示すような流通特性も踏まえて登録データベース１２から削除する帳票の種類を選択することで、図１１や図１２に示す帳票種類のように、月間の流通頻度や年間の流通頻度が少なくても必ず所定の期間に流通するような流通特性を有する帳票の種類については、登録データベース１２から削除しないようにしている。
【００４１】
具体的には、例えば、流通頻度データベース１８が削除対象から省く（削除しない）ことを示すフラグをそなえ、図１１や図１２に示すような、所定の期間だけでも必ず流通する帳票種類であって登録データベース１２から削除しないことが望ましい帳票種類については、かかるフラグをオンに設定し、削除部２０はかかるフラグがオンの帳票種類については登録データベース１２から削除しないように構成する。
【００４２】
また、削除部２０は、かかるフラグがオフの帳票種類については、流通頻度データベース１８に保持された流通頻度に基づいて、流通頻度がより少ない帳票の種類を登録データベース１２から削除するように構成され、具体的には、流通頻度が所定値以下（例えば、一週目で１０以下）の帳票種類を登録データベース１２から削除するか、もしくは、流通頻度が少ない順に下位から所定種類の帳票（つまり、流通頻度が最も少ない帳票の種類から順に所定数の帳票の種類）を登録データベース１２から削除する。
【００４３】
さらに、削除部２０が登録データベース１２から削除する帳票の種類の数は、登録部１６ａに対応して、登録部１６ａによる登録数と同数であることが好ましく、もしくは、登録部１６ａが、削除部２０の処理に対応して削除部２０による削除数と同数の帳票の種類を登録することが好ましく、これにより、登録部１６ａ及び削除部２０の処理を連携させてより効率的に、登録データベース１２を最新の良好な状態に保つことができる。
【００４４】
また、これら登録部１６ａ及び削除部２０の処理は、一日の業務の終了後など、所定期間おきに周期的に実行されてもよいし、もしくは、登録候補データベース１５ａの帳票の登録数に応じて、この登録数が所定値に到達すると実行するように構成してもよい。これにより、登録データベース１２を自動的に効率良く、更新・管理することができる。
例えば、登録部１６ａは、一ヶ月ごとに登録データベース１２の見直しを行ない、登録候補データベース１５ａにおいて一ヶ月の間で上位のものを登録データベース１２へ登録し、登録データベース１２に登録しなかったものについては、登録候補データベース１５ａにおいて継続して頻度を管理する。そして、登録部１６ａは、さらに一ヵ月後に、登録候補データベース１５ａにおいて継続して管理しているものについても登録の要否の判断を行なう。なお、このとき、登録部１６ａは、一年程度経過しても登録データベース１２に登録されなかった帳票については、利用頻度が極端に少ないため、登録候補データベース１５ａから削除することが考えられる。
【００４５】
このように、本発明の一実施形態としての帳票判別装置１ａによれば、登録部１６ａが、仮登録部１４によって登録された登録候補データベース１５ａの候補情報の登録頻度に基づいて、候補情報を帳票の種類と対応付けて帳票判別情報として登録データベース１２に登録するので、帳票の登録に専門的な知識を必要とする専任者が不要になり、登録データベース１２を常に帳票の流通頻度に応じた良好なものに更新することができる。その結果、帳票判別部１３による帳票の判別率も向上し、安定した良好な帳票判別率を実現することができる。
【００４６】
また、削除部２０が、帳票の種類ごとの流通頻度に応じて、流通頻度がより少ないものを登録データベース１２から削除するように構成されているので、登録データベース１２からあまり使用されない不要な帳票の種類にかかる対を削除することができる。したがって、登録データベース１２が保持する帳票の種類の数が膨大になって帳票判別部１３による帳票の判別率が低下してしまうようなことを抑止でき、安定した良好な帳票判別率を実現することができる。
【００４７】
つまり、登録部１６ａ及び削除部２０によって、登録データベース１２内のデータを常に良好な状態、すなわち、使用頻度の高いものを登録し、頻度の低いものは削除することにより、照合（判別）時の検索効率の向上を図ることができる。
さらに、削除部２０は、帳票の種類ごとの流通特徴に応じて、特定の流通特徴（例えば、図１１，図１２参照）を示す帳票の種類に対しては、流通頻度の多さに関係なく、登録データベース１２から削除しないように構成されているので、流通頻度自体は少なくても所定の期間には必ず取り扱うような種類の帳票を、登録データベース１２から削除することなく保持することができる。したがって、流通頻度が少なくても必要な帳票については登録データベース１２が必ず保持しているように構成することができ、登録データベース１２を、帳票を判別するために非常に良好なものに維持することができる。
【００４８】
〔２〕本発明の変形例について
なお、本発明は上述した実施形態に限定されるものではなく、本発明の趣旨を逸脱しない範囲で種々変形して実施することができる。
【００４９】
〔２−１〕第１変形例
ここで、本発明の第１変形例について説明すると、上述した実施形態では、登録部１６ａが、登録候補データベース１５ａに登録された帳票を複数の候補情報で分割し、分割した各グループの帳票数に応じて登録データベース１２に登録する帳票の種類を決定するように構成したが、例えば、図１に示すように、本発明の第１変形例としての帳票判別装置１ｂの登録部１６ｂが、一つの候補情報の登録頻度に基づいて登録データベース１２に登録する帳票の種類を決定してもよい。
【００５０】
具体的には、例えば、登録部１６ｂが、候補情報としての依頼人コードに着目し、登録候補データベース１５ａに登録された複数種類の依頼人コードごとにその登録数を集計する。つまり、登録部１６ｂが、登録候補データベース１５ｂに登録された複数の帳票を、依頼人コードに基づいて分割する。
例えば、登録部１６ｂは、図１３に示すように、依頼人コードが“ＩＡ１”，“ＩＡ２”，“ＩＢ１”，“ＩＢ２”，“ＩＣ１”，“ＩＣ２”，“ＩＣ３”，“ＩＥ１”，“ＩＦ１”，“ＩＧ１”，“ＩＨ１”，及び“ＩＨ２”の１２種類ある場合に、これら１２種類の依頼人コードのそれぞれの登録頻度を算出する。
【００５１】
ここでは、登録部１６ｂは、依頼人コード“ＩＡ１”，“ＩＡ２”，“ＩＢ１”，“ＩＢ２”，“ＩＣ１”，“ＩＣ２”，“ＩＣ３”，“ＩＥ１”，“ＩＦ１”，“ＩＧ１”，“ＩＨ１”，及び“ＩＨ２”の登録頻度を、それぞれ順に“５０”，“１”，“２０”，“４０”，“１００”，“１０”，“１０”，“９０”，“６”，“５”，“１”，“３９”と算出する。
【００５２】
そして、登録部１６ｂは、図１４に示すごとく、登録頻度が多いものから順にソートし、上位５つの依頼人コードを選択し、これらの依頼人コードが記入された帳票に対応する帳票の種類を登録データベース１２に登録する。
これにより、本発明の第１変形例としての帳票判別装置１ｂによれば、上述した実施形態と同様の効果を得ることができる。
【００５３】
〔２−２〕本発明の第２変形例について
次に、本発明の第２変形例について説明すると、上述した実施形態では、登録部１６ａが登録候補データベース１５ａに登録された複数の帳票を、候補情報に基づいて複数のグループに分割し、分割されたグループの帳票の登録頻度に基づいて登録データベース１２に登録する帳票の種類を決定するように構成したが、図１に示すように、本発明の第２変形例としての帳票判別装置１ｃの登録部１６ｃは、登録候補データベース１５ａに登録された複数種類の候補情報のそれぞれについての登録頻度を、登録データベース１２に登録された帳票ごとに合計した値に基づいて、登録データベース１２に登録する帳票の種類を決定する。特に、ここでは、複数種類の候補情報のそれぞれに重み付けを施して、帳票ごとにその重み付けされた登録頻度の合計値（合計スコア）がより多いものを、登録データベース１２に登録する帳票の種類を決定する。
【００５４】
ここで、登録部１６ｃによる登録データベース１２への帳票の種類の登録処理を、仮登録部１４によって図１５に示すごとく登録候補データベース１５ｃが構成された場合を例あげて説明する。
登録部１６ｃは、複数種類の候補情報（ここでは、“帳票サイズ”，“色相系”，及び“帳票種別コード”）ごとの登録頻度を算出する。ここで、図１６に登録部１６ｃによる登録頻度の算出結果をツリー状に示す。なお、図１６において括弧内の数字は、その候補情報の登録頻度（スコア）を示す。
【００５５】
この図１６に示すように、図１５に示す登録候補データベース１５ｃでは、帳票サイズとして“Ｙ”と“Ｔ”があり、登録頻度はそれぞれ、“３０”，“４０”となる。また、色相系として“赤”，“青”，“黒”，及び“白青”があり、登録頻度はそれぞれ、“３０”，“４０”となる。さらに、帳票種別コードとして“Ｊ”，“Ｋ”，“Ｌ”，“Ｍ”，“Ｎ”，“Ｐ”，及び“Ｑ”があり、登録頻度はそれぞれ、“５”，“１０”，“１５”，“２０”，“１０”，“５”，“１０”となる。
【００５６】
そして、登録部１６ｃは、図１７に示すごとく予め設定された、もしくは、オペレータが任意に設定した、各候補情報の重み付け係数（重み係数；ここでは、帳票サイズ及び色相系は“１”、帳票種別コードは“３”）を踏まえて、登録候補データベース１５ｃに登録された帳票ごとに、各候補情報の登録頻度（スコア）を合計した合計スコアを算出する。
【００５７】
つまり、図１８に示すごとく、登録部１６ｃは、帳票種別コードのスコアは登録頻度を３倍にした値を、また、他の帳票サイズ及び色相系のスコアは登録頻度そのままの値を用いて、帳票ごとに該当する候補情報のスコアを合計して合計スコアを算出する。
例えば、登録部１６ｃは、項番１の帳票に対しては、帳票サイズ“Ｙ”のスコア“３０”と、色相系“赤”のスコア“１５”と、帳票判別コード“５”の３倍の“１５”とを合計して、合計スコアを“６０”と算出する。登録部１６ｃは、項番２以降についても同様に図１８に示すごとく合計スコアを算出する。
【００５８】
そして、登録部１６ｃは、この合計スコアがより大きい帳票にかかる帳票の種類を、登録データベース１２に登録する。つまり、登録部１６ｃは、合計スコアが最も大きい帳票の種類から順に所定数の帳票の種類を登録データベース１２に登録するか、もしくは、合計スコアが所定値以上の帳票の種類を登録データベース１２に登録する。
このように、本発明の第２変形例としての帳票判別装置１ｃによれば、上述した実施形態と同様の効果を得ることができる。
【００５９】
なお、本帳票判別装置１ｃの登録部１６ｃのさらなる変形例として、登録部１６ｃが、算出した合計スコアの値に基づいて、まず足きり処理を実行するように構成してもよい。
つまり、図１９に示すフローチャート（ステップＳ１０〜Ｓ１５）に示すごとく、登録部１６ｃが、各候補情報の重み付けを、例えば図１７に示すテーブルに基づいて決定し（ステップＳ１０）、次いで、この重み付けを踏まえて上記図１８に示すように各帳票の合計スコアを算出する（ステップＳ１１）。
【００６０】
さらに、登録部１６ｃは、算出したすべての帳票の合計スコアのそれぞれに対して、予め設定された所定値もしくは最低スコアを差し引くことにより、各帳票の新合計スコアを算出する（ステップＳ１２）。
そして、登録部１６ｃは、算出した新合計スコアが０以下である帳票については、登録データベース１２には登録しないと判断して足きりする（ステップＳ１３）。
【００６１】
次に、登録部１６ｃは、新合計スコアを値が大きい順（降順）にソートして並びかえ（ステップＳ１４）、上位所定番目までの帳票にかかる帳票の種類を、登録データベース１２に登録して（ステップＳ１５）、処理を終了する。
このように、登録部１６ｃが足きり処理を行なうことによって、登録データベース１２への帳票の種類の登録を、より効率よく実行できるとともに、一定の処理頻度を有する帳票の種類だけを確実に登録データベース１２に登録することができ、登録データベース１２の品質をより良好なものにすることができる。
【００６２】
〔２−３〕その他
なお、上述した実施形態では、キーワードデータベース１６ａ−１をそなえ、登録部１６ａが、このキーワードデータベース１６ａ−１に保持されたキーワードに基づいて登録候補データベース１５ａに登録された複数の帳票を分割するように構成したが、本発明はこれに限定されるものではなく、例えば、キーワードデータベース１６ａ−１をそなえず、オペレータが分割に用いるキーワードを、キーボード５やマウス６などを用いて任意に選択することができるように構成してもよく、この場合、登録部１６ａはオペレータによって選択されたキーワードを用いて複数の帳票を分割し、登録データベース１２に登録する帳票の種類を決定する。これにより、登録データベース１２に登録される帳票の種類を、オペレータの意思をより確実に反映したものにすることができる。
【００６３】
また、上述した、帳票読込部１１，帳票判別部１３，仮登録部１４，登録部１６ａ〜１６ｃ，文字認識部１７，更新部１９，及び削除部２０としての機能は、コンピュータ（ＣＰＵ，情報処理装置，各種端末を含む）が所定のアプリケーションプログラム（媒体判別情報データベース作成（管理）プログラム）を実行することによって実現されてもよい。
そのプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体から媒体判別情報データベース作成（管理）プログラムを読み取って内部記憶装置または外部記憶装置に転送し格納して用いる。
【００６４】
また、そのプログラムを、例えば磁気ディスク，光ディスク，光磁気ディスク等の記憶装置（記録媒体）に記録しておき、その記憶装置から通信回線を介してコンピュータに提供するようにしてもよい。
ここで、コンピュータとは、ハードウェアとＯＳ（オペレーティングシステム）とを含む概念であり、ＯＳの制御の下で動作するハードウェアを意味している。また、ＯＳが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえている。
【００６５】
上記媒体判別情報データベース作成（管理）プログラムとしてのアプリケーションプログラムは、上述のようなコンピュータに、帳票読込部１１，帳票判別部１３，仮登録部１４，登録部１６ａ〜１６ｃ，文字認識部１７，更新部１９，及び削除部２０としての機能を実現させるプログラムコードを含んでいる。また、その機能の一部は、アプリケーションプログラムではなくＯＳによって実現されてもよい。
【００６６】
なお、本実施形態としての記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等の、コンピュータ読取可能な種々の媒体を利用することもできる。
【００６７】
〔３〕付記
（付記１）
情報を記入された媒体を読み取って得られたイメージデータに基づいて当該媒体を判別するための媒体判別情報を、当該媒体の種類と対応付けて保持する媒体判別情報データベースを作成する媒体判別情報データベース作成装置であって、
前記媒体のイメージデータから得られる当該媒体にかかる媒体判別情報が、前記媒体判別情報データベースに保持されているか否かを判断する判断部と、
該判断部によって当該媒体にかかる媒体判別情報が前記媒体判別情報データベースに保持されていないと判断された場合に、前記イメージデータから当該媒体の媒体判別情報となりうる候補情報を抽出して登録候補データベースに当該媒体と対応付けて登録する仮登録部と、
該仮登録部による前記登録候補データベースへの前記候補情報の登録頻度に基づいて、前記候補情報を当該媒体の種類と対応付けて媒体判別情報として前記媒体判別情報データベースに登録する登録部とをそなえて構成されていることを特徴とする、媒体判別情報データベース作成装置。
【００６８】
（付記２）
前記仮登録部が、前記媒体から複数種類の候補情報を抽出して前記登録候補データベースに登録するとともに、
前記登録部が、前記登録候補データベースに登録されている複数の媒体を、前記複数種類の候補情報に基づいて複数のグループに分割し、分割された各グループにおける媒体の登録頻度に基づいて前記媒体判別情報データベースに登録する媒体の種類を決定することを特徴とする、付記１記載の媒体判別情報データベース作成装置。
【００６９】
（付記３）
前記登録部は、前記の分割された各グループにおける媒体の登録頻度が最も多い媒体の種類から順に所定数の媒体の種類を前記媒体判別情報データベースに登録することを特徴とする、付記２記載の媒体判別情報データベース作成装置。
（付記４）
前記登録部は、前記の分割された各グループにおける媒体の登録頻度が所定値以上の媒体の種類を前記媒体判別情報データベースに登録することを特徴とする、付記２記載の媒体判別情報データベース作成装置。
【００７０】
（付記５）
前記仮登録部が、前記媒体から複数種類の候補情報を抽出して前記登録候補データベースに登録するとともに、
前記登録部が、前記複数種類の候補情報のそれぞれについての登録頻度を媒体ごとに合計した値に基づいて、記媒体判別情報データベースに登録する媒体の種類を決定することを特徴とする、付記１記載の媒体判別情報データベース作成装置。
【００７１】
（付記６）
前記仮登録部が、前記媒体から複数種類の候補情報を抽出して前記登録候補データベースに登録するとともに、
前記登録部が、前記複数種類の候補情報のそれぞれについての登録頻度に重み付けを施したものを媒体ごとに合計した値に基づいて、記媒体判別情報データベースに登録する媒体の種類を決定することを特徴とする、付記１記載の媒体判別情報データベース作成装置。
【００７２】
（付記７）
前記登録部は、前記の合計した値が最も大きい媒体の種類から順に所定数の媒体の種類を前記媒体判別情報データベースに登録することを特徴とする、付記５または付記６記載の媒体判別情報データベース作成装置。
（付記８）
前記登録部は、前記の合計した値が所定値以上の媒体の種類を前記媒体判別情報データベースに登録することを特徴とする、付記５または付記６記載の媒体判別情報データベース作成装置。
【００７３】
（付記９）
前記媒体判別情報データベースに前記媒体判別情報を保持された媒体の種類ごとの流通頻度を保持する流通頻度データベースと、
前記判断部によって前記媒体にかかる媒体判別情報が前記媒体判別情報データベースに保持されていると判断された場合に、前記流通頻度データベースにおける当該媒体の種類の流通頻度を更新する更新部と、
前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴とする、付記１〜６のいずれか１項に記載の媒体判別情報データベース作成装置。
【００７４】
（付記１０）
前記削除部が、前記流通頻度が最も小さい媒体の種類から順に所定数の媒体の種類にかかる対を前記媒体判別情報データベースから削除することを特徴とする、付記９記載の媒体判別情報データベース作成装置。
（付記１１）
前記削除部が、前記流通頻度が所定値以下の媒体の種類にかかる対を前記媒体判別情報データベースから削除することを特徴とする、付記９記載の媒体判別情報データベース作成装置。
【００７５】
（付記１２）
情報を記入された媒体を読み取って得られたイメージデータに基づいて当該媒体を判別するための媒体判別情報を当該媒体の種類と対応付けて保持する媒体判別情報データベースを管理する媒体判別情報データベース管理装置であって、
前記媒体判別情報データベースに前記媒体判別情報を保持された媒体の種類ごとの流通頻度を保持する流通頻度データベースと、
前記媒体のイメージデータから得られる当該媒体にかかる媒体判別情報が前記媒体判別情報データベースに保持されているか否かを判断する判断部と、
該判断部によって前記媒体にかかる媒体判別情報が前記媒体判別情報データベースに保持されていると判断された場合に、前記流通頻度データベースにおける当該媒体の種類の流通頻度を更新する更新部と、
前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴とする、媒体判別情報データベース管理装置。
【００７６】
（付記１３）
情報を記入された媒体を読み取って得られたイメージデータに基づいて当該媒体を判別するための媒体判別情報を、当該媒体の種類と対応付けて保持する媒体判別情報データベースを作成する機能をコンピュータに実現させるための媒体判別情報データベース作成プログラムを記録したコンピュータ読取可能な記録媒体であって、
前記媒体判別情報データベース作成プログラムが、
前記媒体のイメージデータから得られる当該媒体にかかる媒体判別情報が、前記媒体判別情報データベースに保持されているか否かを判断する判断部、
該判断部によって当該媒体にかかる媒体判別情報が前記媒体判別情報データベースに保持されていないと判断された場合に、前記イメージデータから当該媒体の媒体判別情報となりうる候補情報を抽出して登録候補データベースに当該媒体と対応付けて登録する仮登録部、および、
該仮登録部による前記登録候補データベースへの前記候補情報の登録頻度に基づいて、前記候補情報を当該媒体の種類と対応付けて媒体判別情報として前記媒体判別情報データベースに登録する登録部として、前記コンピュータを機能させることを特徴とする、媒体判別情報データベース作成プログラムを記録したコンピュータ読取可能な記録媒体。
【００７７】
（付記１４）
前記仮登録部が、前記媒体から複数種類の候補情報を抽出して前記登録候補データベースに登録するとともに、
前記登録部が、前記登録候補データベースに登録されている複数の媒体を、前記複数種類の候補情報に基づいて複数のグループに分割し、分割された各グループにおける媒体の登録頻度に基づいて前記媒体判別情報データベースに登録する媒体の種類を決定するように、ことを特徴とする、付記１３記載の媒体判別情報データベース作成プログラムを記録したコンピュータ読取可能な記録媒体。
【００７８】
（付記１５）
前記仮登録部が、前記媒体から複数種類の候補情報を抽出して前記登録候補データベースに登録するとともに、
前記登録部が、前記複数種類の候補情報のそれぞれについての登録頻度を媒体ごとに合計した値に基づいて、記媒体判別情報データベースに登録する媒体の種類を決定するように、前記媒体判別情報データベース作成プログラムが前記コンピュータを機能させることを特徴とする、付記１３記載の媒体判別情報データベース作成プログラムを記録したコンピュータ読取可能な記録媒体。
【００７９】
（付記１６）
前記仮登録部が、前記媒体から複数種類の候補情報を抽出して前記登録候補データベースに登録するとともに、
前記登録部が、前記複数種類の候補情報のそれぞれについての登録頻度に重み付けを施したものを媒体ごとに合計した値に基づいて、記媒体判別情報データベースに登録する媒体の種類を決定するように、前記媒体判別情報データベース作成プログラムが前記コンピュータを機能させることを特徴とする、付記１３記載の媒体判別情報データベース作成プログラムを記録したコンピュータ読取可能な記録媒体。
【００８０】
（付記１７）
前記媒体判別情報データベース作成プログラムが、
前記判断部によって前記媒体にかかる媒体判別情報が前記媒体判別情報データベースに保持されていると判断された場合に、前記媒体判別情報データベースに前記媒体判別情報を保持された媒体の種類ごとの流通頻度を保持する流通頻度データベースにおける当該媒体の種類の流通頻度を更新する更新部、および、
前記流通頻度データベースにおける前記媒体の種類ごとの流通頻度に基づいて、前記媒体判別情報データベースから前記媒体の種類と前記媒体判別情報との対を削除する削除部として、前記コンピュータを機能させることを特徴とする、付記１３〜１６のいずれか１項に記載の媒体判別情報データベース作成プログラムを記録したコンピュータ読取可能な記録媒体。
【００８１】
（付記１８）
情報を記入された媒体を読み取って当該媒体のイメージデータを取得するイメージデータ取得部と、
前記媒体を判別するための媒体判別情報を媒体の種類と対応付けて保持する媒体判別情報データベースと、
前記イメージデータ取得部によって取得された前記媒体のイメージデータと、前記媒体判別情報データベースに保持された媒体判別情報とに基づいて、当該媒体を判別する媒体判別部と、
該媒体判別部によって当該媒体にかかる媒体判別情報が前記媒体判別情報データベースに保持されていないために当該媒体を判別することができなかった場合に、前記イメージデータから当該媒体の媒体判別情報となりうる候補情報を抽出して登録候補データベースに登録する仮登録部と、
該仮登録部による前記登録候補データベースへの前記候補情報の登録頻度に基づいて、前記候補情報を、当該媒体の種類に対応付けて媒体判別情報として前記媒体判別情報データベースに登録する登録部とをそなえて構成されていることを特徴とする、媒体判別装置。
【００８２】
（付記１９）
前記媒体判別情報データベースに前記媒体判別情報を保持された媒体の種類ごとの流通頻度を保持する流通頻度データベースと、
前記媒体判別部によって前記媒体にかかる媒体判別情報が前記媒体判別情報データベースに保持されていることにより当該媒体が判別された場合に、前記流通頻度データベースにおける当該媒体の種類の流通頻度を更新する更新部と、
前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴とする、付記１８記載の媒体判別装置。
【００８３】
（付記２０）
情報を記入された媒体を読み取って当該媒体のイメージデータを取得するイメージデータ取得部と、
前記媒体を判別するための媒体判別情報を媒体の種類と対応付けて保持する媒体判別情報データベースと、
前記イメージデータ取得部によって取得された前記媒体のイメージデータと、前記媒体判別情報データベースに保持された媒体判別情報とに基づいて、当該媒体を判別する媒体判別部と、
前記媒体判別情報データベースに前記媒体判別情報を保持された媒体の種類ごとの流通頻度を保持する流通頻度データベースと、
前記媒体判別部によって前記媒体にかかる媒体判別情報が前記媒体判別情報データベースに保持されていることにより当該媒体が判別された場合に、前記流通頻度データベースにおける当該媒体の種類の流通頻度を更新する更新部と、
前記流通頻度データベースにおける前記媒体の種類ごとの流通頻度に基づいて、前記媒体判別情報データベースから前記媒体の種類と前記媒体判別情報との対を削除する削除部とをそなえて構成されていることを特徴とする、媒体判別装置。
【図面の簡単な説明】
【００８４】
【図１】本発明の一実施形態としての帳票判別装置の構成を示すブロック図である。
【図２】本発明の一実施形態としての帳票判別装置が実現されるコンピュータの構成例を示す図である。
【図３】本発明の一実施形態としての帳票判別装置の登録データベースの構成例を示す図である。
【図４】本発明の一実施形態としての帳票判別装置の登録候補データベースの構成例を示す図である。
【図５】本発明の一実施形態としての帳票判別装置の登録部のキーワードデータベースの構成例を示す図である。
【図６】本発明の一実施形態としての帳票判別装置の登録候補データベースの構成例を示す図である。
【図７】本発明の一実施形態としての帳票判別装置の登録部の動作手順の一例を示すフローチャートである。
【図８】本発明の一実施形態としての帳票判別装置の流通頻度データベースの構成例を示す図である。
【図９】本発明の一実施形態としての帳票判別装置の処理対象である帳票の流通特徴の一例を示す図である。
【図１０】本発明の一実施形態としての帳票判別装置の処理対象である帳票の流通特徴の一例を示す図である。
【図１１】本発明の一実施形態としての帳票判別装置の処理対象である帳票の流通特徴の一例を示す図である。
【図１２】本発明の一実施形態としての帳票判別装置の処理対象である帳票の流通特徴の一例を示す図である。
【図１３】本発明の第１変形例としての帳票判別装置の登録部による一の候補情報の登録頻度の算出結果の一例を示す図である。
【図１４】本発明の第１変形例としての帳票判別装置の登録部による帳票の種類の決定方法を説明するための図である。
【図１５】本発明の第２変形例としての帳票判別装置の登録候補データベースの構成例を示す図である。
【図１６】本発明の第２変形例としての帳票判別装置の登録部による登録頻度の算出結果の一例を説明するための図である。
【図１７】本発明の第２変形例としての帳票判別装置の登録部が用いる候補情報の重み付け係数の一例を示す図である。
【図１８】本発明の第２変形例としての帳票判別装置の登録部による複数の帳票ごとの合計スコアの算出結果の一例を示す図である。
【図１９】本発明の第２変形例としての帳票判別装置の登録部の動作手順の一例を示すフローチャートである。
【符号の説明】
【００８５】
１ａ〜１ｃ  帳票判別装置（媒体判別装置）
２  帳票（媒体）
３  コンピュータ
４  表示部
５  キーボード
６  マウス
７  記憶装置
８  演算部（ＣＰＵ：Central Processing Unit）
９  媒体判別情報データベース作成装置（媒体判別情報データベース管理装置）
１０  スキャナ装置（イメージデータ取得部）
１１  帳票読込部
１２  登録データベース（媒体判別情報データベース）
１３  帳票判別部（判断部）
１４  仮登録部
１５ａ〜１５ｃ  登録候補データベース
１６ａ〜１６ｃ  登録部
１７  文字認識部
１８  流通頻度データベース
１９  更新部
２０  削除部
【図１】
2007193678.tif 000003
【図２】
2007193678.tif 000004
【図３】
2007193678.tif 000005
【図４】
2007193678.tif 000006
【図５】
2007193678.tif 000007
【図６】
2007193678.tif 000008
【図７】
2007193678.tif 000009
【図８】
2007193678.tif 000010
【図９】
2007193678.tif 000011
【図１０】
2007193678.tif 000012
【図１１】
2007193678.tif 000013
【図１２】
2007193678.tif 000014
【図１３】
2007193678.tif 000015
【図１４】
2007193678.tif 000016
【図１５】
2007193678.tif 000017
【図１６】
2007193678.tif 000018
【図１７】
2007193678.tif 000019
【図１８】
2007193678.tif 000020
【図１９】
2007193678.tif 000021